(57)【要約】【課題】  パンチの交換がワンタッチ操作で簡単容易にかつ迅速に行えるパンチ保持装置を得ること。【解決手段】  パンチホルダー２の長さ方向前部側でパンチ３の係合溝３ａと対向する位置に、外部からパンチ嵌入孔２ａに連通する摺動溝２ｃを設けて、摺動溝２ｃに、小径軸部６ａの一端に係合溝３ａと係合可能で摺動溝２ｃとほぼ同一断面形状の押え部６ｂを有し、かつ他端に着脱可能な摘み部６ｃを有するパンチ押え体６を摺動溝２ｃに沿って摺動可能に設ける。摺動溝２ｃの開口部周りに、小径軸部６ａの貫通のみを許す通孔７ａを有し、摺動溝２ｃの上部側を閉鎖する蓋体７を設け、かつ、パンチ押え体６の押え部６ｂと蓋体７の内面との間にばね８を介装して、ばね８により常時は押え部６ｂを係合溝３ａに係合させてパンチ３をパンチホルダー２に保持するように構成した。【選択図】図１
0003119704.tif 000002
【実用新案登録請求の範囲】
【請求項１】
パンチ嵌入孔を有するパンチホルダーと、長さ方向中間部の外周に係合溝を有し、上記嵌入孔に抜き差し可能に嵌入されるパンチとを備え、パンチホルダーの長さ方向前部側で上記係合溝と対向する位置に、外部からパンチ嵌入孔に連通する摺動溝を設けて、該摺動溝に、小径軸部の一端に上記係合溝と係合可能で摺動溝とほぼ同一断面形状の押え部を有し、かつ他端に着脱可能な摘み部を有するパンチ押え体を摺動可能に設ける一方、上記摺動溝の外方開口部周りに、小径軸部の貫通のみを許す通孔を有すると共に摺動溝の上部側を閉鎖する蓋体を設け、かつ、パンチ押え体の押え部と蓋体の内面との間にばねを介装して、このばねにより常時は押え部を係合溝に係合させてパンチをパンチホルダーに保持するように構成し、パンチの交換時には摘み部をばねに抗して外方に引き出すことにより押え部と係合溝との係合を解除させパンチをパンチホルダーから取り出せるように構成したことを特徴とするパンチ保持装置。
【考案の詳細な説明】
【技術分野】
【０００１】  本考案は、パンチとダイで所定形状の圧造加工を行う圧造機械のパンチ保持装置に関する。
【背景技術】
【０００２】  従来、例えば、締結ボルトによる締結操作によってパンチの交換が簡単容易に行えるパンチ保持装置として、パンチパンチ嵌入孔を有するパンチホルダーの前部におけるパンチ取付部を、パンチホルダー側と一体のパンチ受部と、これとは別体のパンチ押えとに分割して、パンチ受部にパンチ押えを着脱自由に嵌合させ、中央のパンチを境にその両側から左右二本の締結ボルトによりパンチ押えをパンチ受部に締付けて固定するように構成したものが知られている（例えば、特許文献１参照。）。
【特許文献１】  実公昭５６−１０４２４号  公報
【考案の開示】
【考案が解決しようとする課題】
【０００３】  ところで、上記したような左右締結ボルトとを備えたパンチ保持装置にあっては、両締結ボルトによるパンチ押えのパンチ受部への締付けによりパンチを強固に固定することができる。しかし、その反面、パンチを頻繁に交換しなければならないような場合には、その交換に際してその都度左右締結ボルトを緩めてパンチを取り外し、新たなパンチを挿し込んだ後再び左右締結ボルトを強固に締め付けて固定する必要がある。このため、パンチの交換作業が非常に面倒で手間を要する問題を有していた。【０００４】  そこで、本考案は、パンチの交換がワンタッチ操作で簡単容易にかつ迅速に行えるパンチ保持装置の提供を課題とする。
【課題を解決するための手段】
【０００５】  上記した問題を解決するために、本考案は、パンチ嵌入孔を有するパンチホルダーと、長さ方向中間部の外周に係合溝を有し、上記嵌入孔に抜き差し可能に嵌入されるパンチとを備え、パンチホルダーの長さ方向前部側で上記係合溝と対向する位置に、外部からパンチ嵌入孔に連通する摺動溝を設けて、該摺動溝に、小径軸部の一端に上記係合溝と係合可能で摺動溝とほぼ同一断面形状の押え部を有し、かつ他端に着脱可能な摘み部を有するパンチ押え体を摺動可能に設ける一方、上記摺動溝の外方開口部周りに、小径軸部の貫通のみを許す通孔を有すると共に摺動溝の上部側を閉鎖する蓋体を設け、かつ、パンチ押え体の押え部と蓋体の内面との間にばねを介装して、このばねにより常時は押え部を係合溝に係合させてパンチをパンチホルダーに保持するように構成し、パンチの交換時には摘み部をばねに抗して外方に引き出すことにより押え部と係合溝との係合を解除させパンチをパンチホルダーから取り出せるように構成したことを特徴とする。
【考案の効果】
【０００６】  本考案によれば、上記した構成により、常時はばねによりパンチ押え体の押え部をパンチの係合溝に係合させてパンチをパンチホルダーに保持する一方、パンチの交換時にはパンチ押え体の摘み部をばねに抗して外方に引き出すことによりパンチ押え体を摺動溝に沿って外方に移動させ、上記押え部と係合溝との係合を解除させてパンチをパンチホルダーから引き抜くことにより簡単容易にかつ迅速取り出すことができる。また、斯かる状態で新たなパンチをパンチホルダーのパンチ嵌合孔に差し込み、パンチ押え体の摘み部を放すだけでばねによりパンチ押え体の押え部をパンチの係合溝に係合させてパンチをパンチホルダーに迅速容易に取り付けることができる。したがって、パンチの交換がワンタッチ操作で簡単容易にかつ迅速に行うことができるのである。
【考案を実施するための最良の形態】
【０００７】  以下、本考案の実施の形態を図に基づいて説明する。
図１、２は、圧造機械に適用されるパンチ保持装置１を示すもので、該パンチ保持装置１は、長さ方向前部にパンチ嵌入孔２ａを有し、長さ方向後部にパンチ嵌入孔２ａに連通するスペーサー嵌入孔２ｂを有するパンチホルダー２と、長さ方向後端側の外周上部に係合溝３ａを有し、上記嵌入孔２ａに抜き差し可能に嵌入されるパンチ３とを備えている。なお、図１中、符号４はラム（図示せず）の前面に装備されるパンチケースであり、該パンチケース４にパンチホルダーが適宜固定手段を介して固定される。また、５はパンチホルダー２のスペーサー嵌入孔２ｂ内に挿通保持したスペーサであり、該スペーサー５の後端部はパンチケース４側に設けられる荷重受体４１に受け止められている。【０００８】  そして、パンチホルダー２の長さ方向前部側で上記係合溝３ａと対向する位置に、上部からパンチ嵌入孔２ａに連通する摺動溝２ｃを垂直状に設けると共に、摺動溝２ｃの開口部周りに扁平切欠部２ｄを形成している。また、摺動溝２ｃ内にはパンチ押え体６を摺動溝２ｃに沿って摺動可能に設ける。パンチ押え体６は、小径軸部６ａと、これの下端に設けられ、上記係合溝３ａと係合可能で摺動溝２ｃとほぼ同一断面形状の押え部６ｂと、小径軸部６ａの上端に設けられ着脱可能な摘み部６ｃとを備えている。さらに、上記摺動溝２ｃの扁平切欠部２ｄに、小径軸部６ａの貫通のみを許す通孔７ａを有し、摺動溝２ｃの上部側を閉鎖する蓋体７を設け、かつ、上記パンチ押え体６の押え部６ｂと蓋体７の内面との間にばね８を介装している。【０００９】  上記ばね８により常時は上記押え部６ｂを係合溝３ａに係合させてパンチ３をパンチホルダー２に保持するように構成し、パンチ３の交換時には摘み部６ｃをばね８に抗して上方に引き上げることにより押え部６ｂと係合溝３ａとの係合を解除させパンチ３をパンチホルダー２から引き抜いて取り出せるように構成している。【００１０】  なお、図に示す実施の形態では、蓋体７の下面にばね８上端部の挿入を許す凹所７ｂが形成され、蓋体７はねじ止めによりパンチホルダー２の扁平切欠部２ｄに固定されている。【００１１】  次に、上記した構成のパンチ保持装置１の作用について説明する。
まず、パンチホルダー２にパンチ３を取り付ける場合には、パンチ押え体６の摘み部６ｃをばね８に抗して上方に引き上げることによりパンチ押え体６を摺動溝２ｃに沿って上方、つまり摺動溝２ｃ内に移動させる。斯かる状態でパンチ押え体６の押え部６ｂとパンチ３の係合溝３ａとが符合するように位置合わせしながらパンチをパンチホルダー２のパンチ嵌合孔２ａに嵌入する。その後、パンチ押え体６の摘み部６ｃを放すことにより、ばね８によりパンチ押え体６の押え部６ｂをパンチ３の係合溝３ａに係合させてパンチ３をパンチホルダー２に取り付けることができる。【００１２】  次に、パンチ３を交換時する場合には、パンチ押え体６の摘み部６ｃをばね８に抗して上方に引き上げることによりパンチ押え体６を摺動溝２ｃに沿って上方に移動させて上記押え部６ｂと係合溝３ａとの係合を解除させ、パンチ３をパンチホルダー２から引き抜いて取り出す。そして、上記押え部６ｂを上方に引き上げた状態のまま新たなパンチ３をパンチホルダー２のパンチ嵌合孔２ａに差し込み、上記摘み部６ｃを放すだけでばね８により上記押え部６ｂをパンチ３の係合溝２ｃに係合させてパンチ３をパンチホルダー２に取り付けることができる。その結果、パンチ３の交換がワンタッチ操作で簡単容易にかつ迅速に行うことができる。【００１３】  以上の説明では、パンチ３をパンチホルダー２のパンチ嵌合孔２ａに差し込む際、パンチ押え体６の摘み部６ｃをばね８に抗して上方に引き上げたうえで、パンチ３をパンチホルダー２のパンチ嵌合孔２ａに差し込むようにしたけれども、例えばパンチ３の後端側の面取り傾斜部３ｂとパンチ押え体６における押え部６ｂの前端傾斜部６ｄとの傾斜を利用してパンチ３をパンチホルダー２のパンチ嵌合孔２ａに強く差し込むだけで、上記摘み部６ｃをばね８に抗して自動的に上方に引き上げ、さらにパンチ３を差し込むことにより上記押え部６ｂを上記係合溝３ａに係合させてもよいことは勿論である。【００１４】  また、図１の仮想線で示すように蓋体７の前面にロックねじ９を設けて、圧造時にはロックねじ９の締め込みによりパンチ押え体６の摺動溝２ｃに対する浮き上がりを阻止するようにしてもよい。また、パンチ３の先端部の形状としては、図１に示すように断面６角形の他、例えば４角〜１２角など多角形であってもよいし、丸形或いは異形であってもよいことは勿論である。その場合、たとえばパンチ３の長さ方向中間部の上面に、該パンチ３の係合溝３ａをパンチ押え体６の押え部６ｂに符合させるための位置決め用目印、例えば目印や凹みなど（図示せず）を付与したり或いは形成するのが好ましい。さらに、図に示す実施の形態ではパンチ押え体６における摘み部６ｃを小径軸部６ａの上端にねじ止めにより固定するようにしたけれども、例えばピン止めなどの適宜固定手段により固定してもよい。【００１５】  また、パンチホルダーへの摺動溝の形成位置は、上記した実施形態のようにパンチホルダーの上方に設ける他、側方や下方であってもよい。
子とはのパンチ押え体を
【図面の簡単な説明】
【００１６】
【図１】  本考案に係るパンチ保持装置の縦断側面図である。
【図２】  同平面図である。
【図３】  同縦断正面図である。
【符号の説明】
【００１７】  １        パンチ保持装置
２        パンチホルダー
２ａ      パンチ嵌入孔
２ｃ      摺動溝
３        パンチ
３ａ      係合溝
６        パンチ押え体
６ａ      小径軸部
６ｂ      押え部
６ｃ      摘み部
７        蓋体
８        ばね
【図１】
0003119704.tif 000003
【図２】
0003119704.tif 000004
【図３】
0003119704.tif 000005